(57)【特許請求の範囲】
【請求項１】
耐雷素子を含む構成部品を格納したアレスタ収納部が配設され、そのアレスタ収納部から延びる接続線を前面側へ導出するための窓孔が形成されたアレスタ筐体を備え、前記アレスタ筐体の窓孔から導出された前記接続線が接続される電源ラインおよびアースライン端子を収納した防水コンセントを前記アレスタ筐体の前面に組み付けたことを特徴とする防水コンセント専用アレスタ。
【請求項２】
前記アレスタ筐体の前面は、防水コンセントの背面よりも大きな面積を有する形状とし、その防水コンセントの背面側を防水パッキングを介してアレスタ筐体の前面に水密的に面接触させた状態で固定したことを特徴とする請求項１に記載の防水コンセント専用アレスタ。
【請求項３】
前記アレスタ筐体の前面は、背面面積が異なる複数種の防水コンセントのうち、背面面積が最大の防水コンセントの背面よりも大きな面積を有する形状としたことを特徴とする請求項２に記載の防水コンセント専用アレスタ。
【請求項４】
前記アレスタ筐体の窓孔は、縦方向の長孔形状を有することを特徴とする請求項２又は３に記載の防水コンセント専用アレスタ。
【請求項５】
前記アレスタ筐体の前面開口側に防水コンセントを重ねて取付けるように構成され、アレスタ筐体の前面開口側が、防水コンセントの背面を受ける台になると共に、その防水コンセントの背面部との間を防水パッキングで密閉できる形状に成形され、アレスタ収納部から撚り線構成の接続線が引き出され、この接続線の先端に、防水コンセント背面側の各電源ライン及びアースラインのねじ無し挿入端子に接続可能なピン形端子が設けられていることを特徴とする請求項１に記載の防水コンセント専用アレスタ。
【請求項６】
前記アレスタ筐体の前面開口側縁に、防水コンセント背面側に取付けられた防水パッキングの溝に挿入される突出壁を形成したことを特徴とする請求項５に記載の防水コンセント専用アレスタ。
【請求項７】
前記アレスタ収納部に、板状非直線抵抗素子の一方の面に共通電極、他方の面に二つの対向電極を設けて構成した耐雷素子と、放電ギャップを収納し、前記二つの対向電極に直列接続されるヒューズを、アレスタ収納部の外側にアレスタ筐体の前面開口側へ向けて取り付けたことを特徴とする請求項５又は６に記載した防水コンセント専用アレスタ。
【発明の詳細な説明】
【０００１】
【発明の属する技術分野】
本発明は、屋外の壁面に設置する防水コンセント専用アレスタに関するものである。
【０００２】
【従来の技術】
屋外に設置される防水コンセントに、雷撃によるサージ電圧を吸収して電気機器を保護するアレスタを取付ける方法として、従来は、次の方法が採用されている。
【０００３】
１つは、アレスタを防水コンセントと並べて壁面に設置する方法であり、他の１つは、壁面に取り付けた防水ケースの中にアレスタ内蔵の屋内型コンセントを設置するものである。また、さらに、他の１つは、アレスタ内蔵の屋外型コンセントを使用する場合である。
【０００４】
アレスタを防水コンセントと並べて壁面に設置する場合は、壁面に防水コンセント用とアレスタ用に取付孔を２つ設ける。防水コンセント１は、図１３に示すように下面に向けて奥行きが大きくなるように傾斜した外形を持ち、下面に図示しない下向きのコンセントが設けられている。この防水コンセント１の壁面への取付けは、壁面に設けた取付孔（図示せず）に木ねじ２を取付孔３４に挿通させることにより固定される取付けプレート３を利用して行われる（例えば、特許文献１参照）。
【０００５】
取付けプレート３の窓部４からは、屋内配線された電源線６及びアース線７が引き出され、それらの先端の絶縁被覆を剥いだ単線である裸線を、図１４に示すような防水コンセント底面のねじ無し挿入端子８に挿入接続する。なお、図示したねじ無し挿入端子８は、２つの電源ラインＬ1、Ｌ2とアースラインの夫々に、二つずつの裸線挿入孔９を持つ。
【０００６】
防水コンセント１は、電源線６とアース線７が接続された状態でねじ１０を取付けプレート３のねじ孔３５に螺着させることにより防水パッキング１１を介して取付けプレート３に固定される。
【０００７】
アレスタは、アレスタ用の取付孔を利用して取り付けられる。このアレスタの電気的接続は、アレスタから引き出した電源線とアース線を、アレスタ用の取付孔と防水コンセント用の取付孔を通し、防水コンセントの前記ねじ無し挿入端子８の空いている裸線挿入孔９に挿入接続することによって行われる。
【０００８】
壁面に取り付けた防水ケースの中にアレスタ内蔵の屋内型コンセントを設置する場合は、壁面に設けた取付孔に取付けプレートを固定し、この取付けプレートにアレスタ内蔵の屋内型コンセントと防水ケースをねじ止め固定する。
【０００９】
アレスタ内蔵の屋外型コンセントを使用する場合は、アレスタが内蔵されていない既設の防水型コンセントを取り外し、これと交換する。
【００１０】
【特許文献１】
特開平１０−２２３３０２号公報
【００１１】
【発明が解決しようとする課題】
アレスタを防水コンセントと並べて壁面に設置すると、アレスタの取付けのための設置面積が別に必要となる。また、アレスタの設置工事は、新たにコンセントを増設するのと同程度の手間がかかるので、設置コストが高くなる。
【００１２】
防水ケースの中にアレスタ内蔵の屋内型コンセントを設置する方法は、防水ケースが大型化し、設置面積が大きくなると共に、防水ケースのコストが高くなる問題がある。これは、アレスタ内蔵の屋内型コンセントが、本来、屋内で単体で使用することを意図して製造され、コンセントが正面を向く防水性を考慮しない構造であると共に、それ自体でプラグの抜き差しに耐える一定の強度を与える一定の大きさを持つからである。防水ケースは、このアレスタ内蔵の屋内型コンセントを収納して防水性を与えるものであるから、必然的に大きくなり、製造コストも高くなる。
【００１３】
アレスタが内蔵されていない既設の防水コンセントを取り外して、アレスタ内蔵の屋外型コンセントと交換することは、使用できる既設の防水コンセントを捨てることになり、経済的ではない。
【００１４】
そこで、本発明は、従来の防水コンセントと組み合わせて設置することにより設置面積が増加せず、設置工事も容易な防水コンセント専用アレスタを提供することを目的とする。
【００１５】
【課題を解決するための手段】
前記目的を達成するための技術的手段として、本発明は、耐雷素子を含む構成部品を格納したアレスタ収納部が配設され、そのアレスタ収納部から延びる接続線を前面側へ導出するための窓孔が形成されたアレスタ筐体を備え、前記アレスタ筐体の窓孔から導出された接続線が接続される電源ラインおよびアースライン端子を収納した防水コンセントを前記アレスタ筐体の前面に組み付けたことを特徴とする。
【００１６】
本発明に係る防水コンセント専用アレスタでは、既設の防水コンセントを取り外し、その位置に本発明の防水コンセント専用アレスタを取り付けた後、その上に取り外した防水コンセントを組み付けることができるので、新たな設置面積を必要としない。本発明の防水コンセント専用アレスタに既存の防水コンセントを組み付ける構造しては、以下のものが可能である。
【００１７】
▲１▼前記アレスタ筐体の前面を防水コンセントの背面よりも大きな面積を有する形状とし、その防水コンセントの背面側を防水パッキングを介してアレスタ筐体の前面に水密的に面接触させた状態で固定した構造。
【００１８】
このようにアレスタ筐体の前面を防水コンセントの背面よりも大きな面積を有する形状としたことにより、防水コンセントの背面側を防水パッキングを介してアレスタ筐体の前面に水密的に面接触させた状態で固定することで、防水コンセントおよびアレスタ筐体の防水性を十分に確保することができる。
【００１９】
前述した▲１▼の構造において、アレスタ筐体の前面は、背面面積が異なる複数種の防水コンセントのうち、背面面積が最大の防水コンセントの背面よりも大きな面積を有する形状とすることが望ましい。このようにすれば、大きさが異なる複数種の防水コンセントに適用可能となって多品種対応が容易になる。
【００２０】
また、前述した▲１▼の構造において、前記アレスタ筐体の窓孔は、縦方向の長孔形状を有することが望ましい。このようにすれば、アレスタ筐体から引き出された接続線を防水コンセントの電源ラインおよびアースライン端子に接続する作業が容易となる。
【００２１】
▲２▼前記アレスタ筐体の前面開口側に防水コンセントを重ねて取付けるように構成され、アレスタ筐体の前面開口側が、防水コンセントの背面を受ける台になると共に、その防水コンセントの背面部との間を防水パッキングで密閉できる形状に成形され、アレスタ収納部から撚り線構成の接続線が引き出され、この接続線の先端に、防水コンセント背面側の各電源ライン及びアースラインのねじ無し挿入端子に接続可能なピン形端子が設けられた構造。
【００２２】
この構造では、アレスタ筐体の前面が防水コンセントの背面と同一面積を有する形状としたことにより、その設置面積をより一層縮減することができる。この組み付けの際、アレスタ筐体から引き出された接続線を防水コンセントのねじ無し挿入端子に接続するが、この接続線は撚り線で柔らかいので、接続線の収容スペースを小さくし、配線作業を容易に行える。
【００２３】
前述した▲２▼の構造においては、アレスタ筐体の前面開口側縁に、防水コンセント背面側に取付けられた防水パッキングの溝に挿入される突出壁を形成することが望ましい。このようにすれば、防水コンセントが背面に設けられている防水パッキングをそのまま利用して、防水コンセント専用アレスタとの間の防水ができる。
【００２４】
また、前記アレスタ収納部に、板状非直線抵抗素子の一方の面に共通電極、他方の面に二つの対向電極を設けて構成した耐雷素子と、放電ギャップを収納し、前記二つの対向電極に直列接続されるヒューズを、アレスタ収納部の外側にアレスタ筐体の前面開口側へ向けて取り付けることが望ましい。
【００２５】
この構造は、板状の耐雷素子と小型管ケース構造の放電ギャップを、アレスタ収納部内に、平面的に並べて配置するので、アレスタ収納部を薄形とし、これを内装する防水コンセント専用アレスタを薄形とし、重ねて取付けられる防水コンセントの突出長の増加を小さくすることができる。また、ヒューズをアレスタ収納部の外側に配置しているので、防水コンセントを外すだけで、ヒューズの状態が容易に確認でき、保守点検を容易に行える。
【００２６】
【発明の実施の形態】
図１に示す本発明の一実施形態において、１２は防水コンセント専用アレスタで、アレスタ筐体１３にアレスタ収納部１４を内装したものである。
【００２７】
このアレスタ筐体１３の背面には、このアレスタ筐体１３を、図１３に示す取付けプレート３にねじ止め固定するため取付孔１５と、このアレスタ筐体１３に防水コンセント１をねじ止めするエンボス形状の取付けねじ部１６と、屋内配線された電源線とアース線を外壁側から通す窓孔１７が形成されている。
【００２８】
このアレスタ筐体１３の前面開口側は、防水コンセント１の背面形状に一致する形状に成形され、その開口側縁には、防水コンセント１の背面に取り付けられた防水パッキング１１の溝に嵌入する突出壁１８が形成されている。
【００２９】
この防水パッキング１１による接合は、図２に示すように行われる。すなわち、防水コンセント１の背面側突出壁１ａと、アレスタ筐体１３の突出壁１８を、防水パッキング１１の両側の溝１１ａ，１１ｂに嵌め込む。このように接合された外側面は、平坦につながり、見栄えがよい。次に、図１に示すねじ１０により、防水パッキング１１を圧縮しながら、防水コンセント１を取付けねじ部１６に締め付け固定することにより高い防水性が得られる組立を行なう。
【００３０】
アレスタ収納部１４は、図３に示すようなアレスタ回路１９を組み付けたものである。このアレスタ回路１９の２つのアレスタＺ1，Ｚ2は、図４及び図５に示すように、板状の非直線性抵抗素子（酸化亜鉛電圧素子）２０の一方の面に共通電極２１、他方の面に２つの対向電極２２，２３を設けた耐雷素子２４として形成されている。
【００３１】
図３のアレスタ回路１９のアレスタ収納部１４への組付けは、図６に示すように行われる。アレスタ収納部１４は薄形のケースで、板状の耐雷素子２４と管ケース構造の放電ギャップ２５を平面的に並べ、これら耐雷素子２４と放電ギャップ２５と直列接続される２つのヒューズ２６，２７を、アレスタ収納部１４の外側にアレスタ筐体１３の前面開口側へ向けて取り付けている。
【００３２】
また、アレスタ収納部１４から引き出される接続線２８〜３０は、柔らかい撚り線構成のもので、その先端に、図１４に示した防水コンセント背面側の各電源ライン及びアースラインのねじ無し挿入端子８に接続可能なピン形端子３１が設けられている。
【００３３】
アレスタ収納部１４内は、耐湿性を高めるため絶縁コンパウンド３２が充填される。ヒューズ２６，２７は、アレスタ収納部１４の外側に配置され、絶縁コンパウンドで覆われていない。したがって、その周囲に溶融したヒューズの飛散を許容する空間があり、裸のワイヤ形ヒューズを使用でき、管形ヒューズを用いた場合に比べコストを低減できる。また、防水コンセントを外せば、その状態が確認できる。
【００３４】
上記構造の防水コンセント専用アレスタ１２は、次のようにして壁面に設置される。既に、壁面に防水コンセント１が設置されている場合は、防水コンセント１を図１３の取付けプレート３から外す。新たに防水コンセント１と共に防水コンセント専用アレスタ１２を設置する場合は、防水コンセント１の取付孔に取り付けプレート３を取付ける。
【００３５】
この状態で、屋内配線されている電源線６とアース線７を取付けプレート３の窓部４から引き出し、図１のアレスタ筐体１３の窓孔１７を通し、図１４に示す防水コンセント１のねじ無し挿入端子８に接続する。次に、アレスタ筐体１３を、その取付孔１５を利用して取付けプレート３にねじ止め固定する。さらに、アレスタ収納部１４から引き出された接続線２８〜３０を、それらの先端のピン形端子３１を用いて、防水コンセント１のねじ無し挿入端子８の空いている裸線挿入孔９に挿入接続する。そして、防水コンセント１の背面に取り付けられた防水パッキング１１の溝１１ｂを、図２に示すようにアレスタ筐体１３の突出壁１８に嵌め込み、図１のねじ１０により防水パッキング１１を圧縮させながら防水コンセント１を取付けねじ部１６に締め付け固定する。
【００３６】
この取り付け作業において、アレスタ収納部１４から引き出された接続線２８〜３０は撚り線構造で柔らかく、大きな力を加えなくても折り曲げ自在であるため、図１４のねじ無し挿入端子８への接続は容易であり、防水コンセント１をアレスタ筐体１３に重ねて取付けるときの収まりも良好である。したがって、アレスタ筐体１３の電線収納スペースを大きく取る必要がなく、アレスタ筐体１３の高さを小さくし、アレスタ筐体１３を台座とする防水コンセント１の取付高さを小さくすることができる。
【００３７】
この実施形態の構造では、防水コンセント１を取り外すと、アレスタ収納部１４の外面に位置している図６のヒューズ２６，２７を直接見ることができる。ヒューズ２６，２７が溶断していなければ、アレスタ収納部１４内の耐雷素子２４が、雷撃後の続流遮断能力を保持している。ヒューズ２６，２７が溶断していれば、劣化した耐雷素子２４が切り離された状態であるので防水コンセント専用アレスタ１２を交換する。
【００３８】
以上の実施形態では、アレスタ筐体の前面が防止コンセントの背面と同一面積を有する形状としたことにより、その設置面積が増加せず、設置工事も容易である。この組み付けの際、アレスタ筐体から引き出された接続線を防水コンセントのねじ無し挿入端子に接続するが、この接続線は撚り線で柔らかいので、接続線の収容スペースを小さくし、配線作業を容易に行える。
【００３９】
図７乃至図１２は本発明の他の実施形態を示す。この実施形態の防水コンセント専用アレスタ４０は、図７（ａ）（ｂ）および図８（ａ）〜（ｃ）に示すようにアレスタ筐体４１の前面４２を防水コンセント１の背面よりも大きな面積を有する形状とし、その防水コンセント１の背面側を防水パッキング１１を介してアレスタ筐体４１の前面４２に水密的に面接触させた状態で固定した構造のものである。アレスタ筐体４１は、防水コンセント１の背面周縁から僅かにはみ出した大きさを有する。
【００４０】
このようにアレスタ筐体４１の前面４２を防水コンセント１の背面よりも大きな面積を有する形状としたことにより、防水コンセント１の背面側を防水パッキング１１を介してアレスタ筐体４１の前面４２に水密的に面接触させた状態で固定することで、防水コンセント１の内部へ雨水が浸入したり、アレスタ筐体４１内部へ窓孔４３を介して雨水が侵入したりすることを確実に防止できる。
【００４１】
なお、アレスタ筐体４１の前面を、背面面積が異なる複数種の防水コンセント１のうち、背面面積が最大の防水コンセント１の背面よりも大きな面積を有する形状とすれば、大きさが異なる複数種の防水コンセント１に適用可能となって多品種対応が容易になる。
【００４２】
アレスタ筐体４１は、背面側に位置するアレスタ収納部４４から延びる接続線５５〜５７をその背面側から前面側へ導出するための窓孔４３が形成されている。この窓孔４３は、アレスタ収納部４４から引き出された接続線５５〜５７の先端を、アレスタ筐体４１の前面４２に取り付けられる防水コンセント１の電源ラインおよびアースライン端子８（図１４参照）に接続する作業を容易にするため、縦方向の長孔形状としている。
【００４３】
このアレスタ筐体４１の窓孔４３の上下近傍位置には、このアレスタ筐体４１を壁面に取り付けるための取付孔４５が貫設されている。この取付孔４５は、アレスタ筐体４１を壁面に対して正規の姿勢、つまり、垂直方向に沿って真っ直ぐに設置するための調整が可能なように水平方向に沿う長孔形状としている。
【００４４】
このアレスタ筐体４１の背面側には、図９に示すアレスタ回路を構成する各部品を格納するためのアレスタ収納部４４が設けられており、アレスタ回路は、板状の非直線性抵抗素子（酸化亜鉛電圧素子）の一方の面に共通電極、他方の面に二つの対向電極を設けた二つのアレスタＺ1，Ｚ2を樹脂モールドして三本のリード線を同一方向に導出した耐雷素子４６と、管ケース構造の放電ギャップ４７と、二つのヒューズ４８，４９とで構成される。
【００４５】
アレスタ筐体４１の背面側に設けられたアレスタ収納部４４では、第一スペース５０に耐雷素子４６が格納され、導出された三本のリード線のうち、中央に位置するリード線に管ケース構造の放電ギャップ４７が接続され、その両側に位置する二本のリード線にヒューズ４８，４９がそれぞれ接続され、それら放電ギャップ４７および二つのヒューズ４８，４９を、前述した第一スペース５０と隣接する第二スペース５１に格納している。
【００４６】
さらに、耐雷素子４６の各リード線に接続された放電ギャップ４７および二つのヒューズ４８，４９には、例えば０．６φ銅の単線５２〜５４を絶縁被覆した２φの接続線５５〜５７が接続されている。接続線５５〜５７の先端では、絶縁被覆を取り去ることにより単線５２〜５４が剥き出し状態となっている。この三本の接続線５５〜５７は、前述した第二スペース５１と隣接してアレスタ筐体４１の背面底部に位置する第三スペース５８に格納されて引き回わされた上で、その第三スペース５８の上方に位置する窓孔４３から前面側へ引き出される。
【００４７】
また、アレスタ筐体４１の背面の上部には第四スペース５９が設けられており、この第四スペース５９に赤色発光ダイオード等の表示ランプ６０を点灯させるための点灯回路基板６１が格納されている。この表示ランプ６０は、アレスタ筐体４１の前面上部に配置され、点灯回路基板６１から延びる接続線６２，６３を第五スペース６４に収納した上で、その接続線６２，６３の先端を耐雷素子４６のヒューズ４８，４９が接続された二本のリード線に接続している。
【００４８】
このアレスタ筐体４１の背面側周縁には、防水コンセント１の背面側周縁に取り付けられた防水パッキング１１と同一構造の防水パッキング６５が装着されている。図１０に示すようにアレスタ筐体４１の背面側周縁には、突出壁６６，６７が形成され、防水パッキング６５が嵌め込まれている。
【００４９】
アレスタ筐体４１を壁面に取り付ける際には、防水パッキング６５の圧縮でその防水パッキング６５の二重の襞部分が壁面に密着することにより、アレスタ筐体４１内部へ窓孔４３を介して雨水が侵入したりすることを確実に防止できる。これは、防水コンセント１をアレスタ筐体４１に取り付ける場合も同様で、防水パッキング１１の圧縮でその防水パッキング１１の二重の襞部分がアレスタ筐体４１の前面４２に面接触することにより、防水コンセント１の内部へ雨水が浸入したり、アレスタ筐体４１内部へ窓孔４３を介して雨水が侵入したりすることを確実に防止できる。
【００５０】
以上の構成を具備した防水コンセント専用アレスタ４０に防水コンセント１を組み付けて壁面に設置する手順は次のとおりである。
【００５１】
まず、図１１に示すように取付けプレート３（図１３参照）をアレスタ筐体４１の前面４２に重ね合わせ、取付けねじ２を取付けプレート３の取付孔３４およびアレスタ筐体４１の取付孔４５に挿通させ、壁面に対するアレスタ筐体４１の姿勢を調整した上で前記取付けねじ２の締め付けにより取付けプレート３およびアレスタ筐体４１を壁面にねじ止め固定する。これにより、防水コンセント専用アレスタ４０の壁面への取り付けを完了する。
【００５２】
次に、アレスタ筐体４１の窓孔４３および取付けプレート３の窓部４から導出された接続線５５〜５７の先端を防水コンセント１の電源ラインおよびアースライン端子８（図１４参照）に、前述の実施形態の場合と同様に接続する。その上で、防水コンセント１の背面側を防水パッキング１１を介してアレスタ筐体４１の前面４２に水密的に面接触させた状態で固定する（図１２参照）。
【００５３】
つまり、防水コンセント１を取付けプレート３のねじ孔３５を利用してその取付プレート３にねじ止めすることにより、防水コンセント１の背面側に取り付けられた防水パッキング１１の二重の襞部分を防水パッキング１１の圧縮で壁面に密着させることにより防水性を確保しながら、防水コンセント１の背面を防水コンセント専用アレスタ４０の前面４２に面接触させる。
【００５４】
【発明の効果】
本発明に係る防水コンセント専用アレスタでは、既設の防水コンセントを取り外し、その位置に本発明の防水コンセント専用アレスタを取り付けた後、その上に取り外した防水コンセントを組み付けることができるので、新たな設置面積を必要とせず、取り付け作業も容易に行える。
【００５５】
前記アレスタ筐体の前面を防水コンセントの背面よりも大きな面積を有する形状とし、その防水コンセントの背面を防水パッキングを介してアレスタ筐体の前面に水密的に面接触させた状態で固定した構造とすれば、防水コンセントおよびアレスタ筐体の防水性を十分に確保することができる。
【００５６】
ここで、アレスタ筐体の前面を、背面面積が異なる複数種の防水コンセントのうち、背面面積が最大の防水コンセントの背面よりも大きな面積を有する形状とすれば、大きさが異なる複数種の防水コンセントに適用可能となって多品種対応が容易になる。
【００５７】
前記アレスタ筐体の前面開口側に防水コンセントを重ねて取付けるように構成され、アレスタ筐体の前面開口側が、防水コンセントの背面を受ける台になると共に、その防水コンセントの背面部との間を防水パッキングで密閉できる形状に成形され、アレスタ収納部から撚り線構成の接続線が引き出され、この接続線の先端に、防水コンセント背面側の各電源ライン及びアースラインのねじ無し挿入端子に接続可能なピン形端子が設けられた構造とすれば、その設置面積をより一層縮減することができ、しかも、軟らかい撚り線構成の接続線を引き出し、その先端にピン形端子を設けているので、非常に短い距離で、少ない接続線収納スぺースに対して容易な配線作業を行うことができる。
【図面の簡単な説明】
【図１】本発明の一実施形態である防水コンセント専用アレスタを防水コンセントと共に示す斜視図である。
【図２】防水パッキングを利用した防水コンセント専用アレスタと防水コンセントの防水接合構造を示す断面図である。
【図３】アレスタ収納部に組付けられるアレスタ回路を示す回路図である。
【図４】アレスタ収納部に組付けられる耐雷素子の斜視図である。
【図５】図４の耐雷素子の積層構造を示す側面図である。
【図６】アレスタ回路が組付けられるアレスタ収納部の断面図である。
【図７】本発明の他の実施形態で、（ａ）は防水コンセント専用アレスタのアレスタ筐体の前面側を示す斜視図、（ｂ）はアレスタ筐体の背面側を示す斜視図である。
【図８】本発明の他の実施形態で、（ａ）はアレスタ筐体の前面側を示す正面図、（ｂ）は（ａ）の側面図、（ｃ）はアレスタ筐体の背面側を示す背面図である。
【図９】アレスタ収納部に組付けられるアレスタ回路を示す回路図である。
【図１０】アレスタ筐体又は防水コンセントに防水パッキングを装着した状態を示す断面図である。
【図１１】防水コンセントと防水コンセント専用アレスタの組立分解斜視図である。
【図１２】防水コンセントと防水コンセント専用アレスタの組立完了斜視図である。
【図１３】防水コンセントの取付け構造を示す斜視図てある。
【図１４】防水コンセント底面のねじ無し挿入端子を示す斜視図である。
【符号の説明】
１  防水コンセント
３  取付けプレート
４  窓部
６  電源線
７  アース線
８  ねじ無し挿入端子
９  裸線挿入孔
１１  防水パッキング
１２  防水コンセント専用アレスタ
１３  アレスタ筐体
１４  アレスタ収納部
１５  取付孔
１６  取付けねじ部
１７  窓孔
１８  突出壁
４０  防水コンセント専用アレスタ
４１  アレスタ筐体
４２  前面
４３  窓孔
４４  アレスタ収納部
５５〜５７  接続線
【図１】
0004172983.tif 000002
【図２】
0004172983.tif 000003
【図３】
0004172983.tif 000004
【図４】
0004172983.tif 000005
【図５】
0004172983.tif 000006
【図６】
0004172983.tif 000007
【図７】
0004172983.tif 000008
【図８】
0004172983.tif 000009
【図９】
0004172983.tif 000010
【図１０】
0004172983.tif 000011
【図１１】
0004172983.tif 000012
【図１２】
0004172983.tif 000013
【図１３】
0004172983.tif 000014
【図１４】
0004172983.tif 000015